(57)【特許請求の範囲】
【請求項１】
キッチンカウンターの上面開口部から挿入される調理器本体と、
前記キッチンカウンターの前面開口部に臨んで前記調理器本体の前面に配置される操作部または加熱庫扉と、
前記キッチンカウンターへの組み込み後に、前記操作部または前記加熱庫扉と前記前面開口部との間の空間を埋めるカバーと、
前記調理器本体の内部に設けられ、赤外線の受信手段を有する換気扇との赤外線通信により、調理の開始時と終了時に換気扇の運転、停止を行う赤外線送信手段である赤外線発光素子と、を有し、
前記赤外線発光素子は、前記調理器本体の内部であって前記カバーに対応する位置に配置されて赤外線が前記調理器本体の前面から照射されるようにするとともに、前記カバーをはずした状態で前記調理器本体に設けられた調整用開口部を介して前記赤外線発光素子の照射方向を調整可能とした組込式加熱調理器。
【請求項２】
調整ネジの手段を用い、前記調整用開口部にドライバーを挿入することで、前記赤外線発光素子の照射方向を調整可能とした、請求項１に記載の組込式加熱調理器。
【請求項３】
前記赤外線発光素子の照射方向を上下方向に調整可能とした、請求項２に記載の組込式加熱調理器。
【請求項４】
前記赤外線発光素子の照射方向を左右方向に調整可能とした、請求項２に記載の組込式加熱調理器。
【請求項５】
前記赤外線発光素子の照射方向を上下左右いずれの方向にも調整可能とした、請求項２に記載の組込式加熱調理器。
【発明の詳細な説明】
【技術分野】
【０００１】
本発明は、調理器と換気扇とを赤外線通信により連動運転する組込式加熱調理器に関するものである。
【背景技術】
【０００２】
従来の赤外線送信手段を備えた組込式加熱調理器は、コンロおよびグリルの運転、停止を操作する操作ボタンの上部に赤外線送信部が設けられており、運転、停止の操作と連動して赤外線信号を送信することにより、赤外線の受信手段を有する換気扇の運転、停止を行っている（例えば、特許文献１参照）。
【０００３】
図９は、従来の赤外線送信手段を備えた組込式加熱調理器と赤外線受信手段を備えた換気扇の外観図である。
【０００４】
図１０は、従来の赤外線送信手段を備えた組込式加熱調理器の赤外線送信部の略断面図である。図１０において、コンロおよびグリルの操作ボタン２３の上部に赤外線送信部である送信窓１０を設け、送信窓１０の内部には赤外線信号を発光する赤外線発光素子１１を備えている。調理器１使用時、操作ボタン２３を操作すると、赤外線発光素子１１は一定の照射角θで送信窓１０を通して前方や操作ボタン２３の近傍に向けて赤外線信号を照射し、操作する手や人体の一部に反射して上方の換気扇２４の受信手段２５へ赤外線信号が送られる。
【特許文献１】特開２００３−２２２３６４号公報
【発明の開示】
【発明が解決しようとする課題】
【０００５】
しかしながら、前記従来の構成では、赤外線信号を人体に反射させて換気扇２４へ送信するため、換気扇２４との通信を行う際、調理器１の正面に人が存在している必要があった。このため、湯沸しや炊飯、魚焼き等の調理をセンサー等で自動制御し、調理完了時に自動停止する機能や、加熱時間を設定できるタイマー機能を使用した際、運転停止時に調理器１の前方に人が不在の場合、赤外線信号を人体に反射させることができないため、キッチンの間取り、構造等によっては換気扇停止信号が換気扇２４に届かない恐れがあるという課題を有していた。
【０００６】
本発明は、前記従来の課題を解決するもので、調理器前方に人がいない場合でも、赤外線信号をより確実に換気扇へ送信できる組込式加熱調理器を提供することを目的とする。
【課題を解決するための手段】
【０００７】
前記従来の課題を解決するために、本発明の組込式加熱調理器は、換気扇の運転、停止を行う赤外線送信手段である赤外線発光素子の照射方向を調整可能としたものである。
【０００８】
これによって、調理器前方に人がいない場合、換気扇に赤外線信号が届かないキッチンにおいて、赤外線照射方向を調整し、床や壁、構造物その他への赤外線反射角度を最適位置とすることにより、換気扇の受信を可能にすることができる。
【発明の効果】
【０００９】
本発明の組込式加熱調理器は、換気扇の運転、停止を行う赤外線信号の換気扇への送信精度を高めることができる。
【発明を実施するための最良の形態】
【００１０】
第１の発明は、キッチンカウンターの上面開口部から挿入される調理器本体と、前記キッチンカウンターの前面開口部に臨んで前記調理器本体の前面に配置される操作部または加熱庫扉と、前記キッチンカウンターへの組み込み後に、前記操作部または前記加熱庫扉と前記前面開口部との間の空間を埋めるカバーと、前記調理器本体の内部に設けられ、赤外線の受信手段を有する換気扇との赤外線通信により、調理の開始時と終了時に換気扇の運転、停止を行う赤外線送信手段である赤外線発光素子を有し、前記赤外線発光素子は、前記調理器本体の内部であって前記カバーに対応する位置に配置されて赤外線が前記調理器本体の前面から照射されるようにするとともに、前記カバーをはずした状態で前記調理器本体に設けられた調整用開口部を介して前記赤外線発光素子の照射方向を調整可能とした組込式加熱調理器とすることにより、赤外線信号をキッチンの間取り、構造等に応じた最適な方向で換気扇に送信することができる。
【００１１】
第２の発明は、調整ネジの手段を用い、前記調整用開口部にドライバーを挿入することで、前記赤外線発光素子の照射方向を調整可能としたものであり、設置工事者が設置した後、試運転の際に換気扇との赤外線通信の不具合が見つかった場合、照射方向の調整を行いながら通信の良否を確認することができる。
【００１２】
第３の発明は、第２の発明の組込式加熱調理器の赤外線発光素子の照射方向を上下方向に調整可能としたものであり、床や調理器正面の壁、構造物等への赤外線信号の反射を利用して、換気扇への最適な照射角度を調整することができる。
【００１３】
第４の発明は、第２の発明の組込式加熱調理器の赤外線発光素子の照射方向を左右方向に調整可能としたものであり、調理器正面および側面の壁、構造物等への赤外線信号の反射を利用して、換気扇への最適な照射角度を調整することができる。
【００１４】
第５の発明は、第２の発明の組込式加熱調理器の赤外線発光素子の照射方向を上下左右方向に調整可能としたものであり、床や調理器正面および側面の壁、構造物等への赤外線信号の反射を利用して、換気扇への最適な照射角度を幅広く調整することができる。
【００１５】
以下、本発明の実施の形態について、図面を参照しながら説明する。なお、この実施の形態によって本発明が限定されるものではない。
【００１６】
（実施の形態１）
図１〜図８は、本発明の第１の実施の形態における組込式加熱調理器を示すものである。
【００１７】
図７に示すように、組込式加熱調理器は、調理器本体１を流し台２の上面開口部３から挿入し、キッチンカウンター２の前面開口部４に操作部５や加熱庫扉６を臨ませて設置される。この状態では、調理器本体１の加熱庫扉６側側面および操作部５側側面と流し台２の前面開口部４との間には、それぞれ空間７が生じている。
【００１８】
図８に示すように、加熱庫扉６側の空間７および操作部５側の空間７を埋めるため、加熱庫扉側サイドカバー８および操作部側サイドカバー９をそれぞれ調理器本体１に装着する。
【００１９】
操作部側サイドカバー９の操作部５上方には、赤外線を送信する送信窓１０が装着されており、内部には赤外線送信手段である赤外線発光素子（図示せず）が配されている。
【００２０】
図１は、本発明の第１の実施の形態における組込式加熱調理器の、赤外線発光素子取付部の略構成を示すものである。赤外線発光素子１１が取り付けられた赤外線発光素子取付台１２の一端を軸１３によって支持台１４と回動自在に係合し、もう一端はバネ１５を介して調整ネジ１６により支持台１４と係合している。
【００２１】
図２（ａ〜ｃ）は、本発明の第１の実施の形態における組込式加熱調理器の、赤外線発光素子取付部の略断面を示すものである。赤外線の送信窓１０を設けた操作部側サイドカバー９が調理器本体１の一部を覆っている。調理器本体１内部には赤外線発光素子１１が配されており、赤外線を通過させるために調理器本体に開口１７が開いている。さらに開口１７は赤外線が通過するのに支障のない材料の開口カバー１８で覆われている。
【００２２】
図３は、本発明の第１の実施の形態における組込式加熱調理器の、赤外線発光素子の方向を調整中の略断面を示すものである。操作部側サイドカバー（図示せず）を外した状態で、調理器本体１に設けられた調整孔１９からドライバー２０を挿入し調整ネジ１６を回転させるものである。
【００２３】
以上のように構成された組込式加熱調理器について、以下その動作、作用を説明する。
【００２４】
調整ネジ１６を締付方向および緩み方向に回転させることにより、赤外線発光素子取付台１２は軸１３を支点に回動し、赤外線発光素子１１の角度が上下方向に変化する。
【００２５】
図２（ｂ）に示すように、調整ネジ１６を締付方向に回転させた場合、赤外線発光素子１１が下向きに移動するよう赤外線発光素子取付台１２が回動し、バネ１５が完全に圧縮されるまで調整ネジ１６を回転させて赤外線発光素子１１の角度を調整することができる。
【００２６】
図２（ｃ）に示すように、調整ネジ１６を緩み方向に回転させた場合、赤外線発光素子１１が上向きに移動するよう赤外線発光素子取付台１２が回動し、バネ１５が自由長に戻るまで調整ネジ１６を回転させて赤外線発光素子１１の角度を調整することができる。
【００２７】
以上のように、本実施の形態においては、赤外線発光素子１１の照射方向を上下方向に微調整することができ、床や調理器正面の壁、構造物等への赤外線信号の反射角度を変えることができるため、換気扇への送信精度を高めることができる。
【００２８】
さらに、本構成を利用すれば、赤外線発光素子１１の取付角度を左右方向に調整できる構成（図示せず）も容易に実現でき、床や調理器正面および側面の壁、構造物等への赤外線信号の反射角度を変えることができる。
【００２９】
（実施の形態２）
図４は、本発明の第２の実施の形態における組込式加熱調理器の、赤外線発光素子取付部の略構成を示すものである。図５は、本発明の第２の実施の形態における組込式加熱調理器の、赤外線発光素子取付部の分解構成を示すものである。図６は、本発明の第２の実施の形態における組込式加熱調理器の、赤外線発光素子取付部の略断面を示すものである。
【００３０】
赤外線発光素子１１が取り付けられた赤外線発光素子取付台１２裏面中央の凹部２１を支持台１４中央の支持用凸部２２が支えている。赤外線発光素子取付台１２と支持台１４とは、赤外線発光素子１１の上下左右４箇所に配された調整ネジ１６で係合されている。赤外線発光素子取付台１２と支持台１４の間には複数のバネ１５が介在している。
【００３１】
以上のように構成された組込式加熱調理器について、以下その動作、作用を説明する。
【００３２】
４本の調整ネジ１６を各々締付方向および緩み方向に回転させることにより、赤外線発光素子取付台１２は支持台１４の支持用凸部２２を支点にその位置を変化させ、赤外線発光素子１１の角度を上下左右いずれの方向にも調整することができる。赤外線発光素子取付台１２の位置は、複数のバネ１５の自由長〜完全圧縮の範囲で調整可能である。
【００３３】
以上のように、本実施の形態においては、赤外線発光素子１１の照射方向を上下左右いずれの方向にも調整することができ、床や調理器正面の壁、構造物等への赤外線信号の反射角度を変えることができるため、換気扇への送信精度をさらに高めることができる。
【産業上の利用可能性】
【００３４】
以上のように、本発明にかかる組込式加熱調理器は、換気扇の運転、停止を行う赤外線信号の換気扇への送信精度を高めることができるので換気扇を使用しながら運転する調理器等の用途にも適用できる。
【図面の簡単な説明】
【００３５】
【図１】本発明の第１の実施の形態における組込式加熱調理器の、赤外線発光素子取付部の略構成図
【図２】（ａ）〜（ｃ）本発明の第１の実施の形態における組込式加熱調理器の、赤外線発光素子取付部の略断面図
【図３】本発明の第１の実施の形態における組込式加熱調理器の、赤外線発光素子の方向を調整中の略断面図
【図４】本発明の第２の実施の形態における組込式加熱調理器の、赤外線発光素子取付部の略構成図
【図５】本発明の第２の実施の形態における組込式加熱調理器の、赤外線発光素子取付部の分解構成図
【図６】本発明の第２の実施の形態における組込式加熱調理器の、赤外線発光素子取付部の略断面図
【図７】本発明の組込式加熱調理器をキッチンカウンターに組み込んだ状態を示す斜視図
【図８】本発明の組込式加熱調理器に、加熱庫扉側サイドカバーおよび操作部側サイドカバーを装着した状態を示す斜視図
【図９】従来の赤外線送信手段を備えた組込式加熱調理器と赤外線受信手段を備えた換気扇の外観図
【図１０】従来の赤外線送信手段を備えた組込式加熱調理器の赤外線送信部の略断面図
【符号の説明】
【００３６】
１  調理器本体
２  キッチンカウンター
１１  赤外線発光素子（赤外線送信手段）
１６  調整ネジ
２４  換気扇
２５  受信手段
【図１】
0004998282.tif 000002
【図２】
0004998282.tif 000003
【図３】
0004998282.tif 000004
【図４】
0004998282.tif 000005
【図５】
0004998282.tif 000006
【図６】
0004998282.tif 000007
【図７】
0004998282.tif 000008
【図８】
0004998282.tif 000009
【図９】
0004998282.tif 000010
【図１０】
0004998282.tif 000011